(57)【要約】【課題】かご室の天井照明器具にＬＥＤを使用し、照明器具が占める上下方向のスペースを大幅に削減し、特に昇降路上下寸法の削減に寄与することができるエレベータのかご室照明装置を提供するものである。【解決手段】エレベータかご室の天井板２と、天井板部分の裏面に斜め方向又は垂直方向に配置された多数のＬＥＤ照明器具１と、ＬＥＤ照明器具の発光方向と対向するように天井板に設けられた透光性材料からなる照明板３とを備える。【選択図】図４
2007182296.tif 000002
【特許請求の範囲】
【請求項１】
エレベータかご室の天井板と、
前記天井板部分の裏面に斜め方向又は垂直方向に配置された多数のＬＥＤ照明器具と、
前記ＬＥＤ照明器具の発光方向と対向するように前記天井板に設けられた透光性材料からなる照明板と、
を備えたことを特徴とするエレベータのかご室照明装置。
【請求項２】
エレベータかご室の天井板は、内側から外側に行くに従って複数の四角形枠体の形状を徐々に大きく構成されたものであり、
多数のＥＬＤ照明器具は、前記天井板の各四角形枠体の垂直面内側に所定の間隔で近接対向しており、
照明板は、前記天井板の各四角形枠体の垂直面に形成された開口部に着脱自在に設けられている、
ことを特徴とする請求項１記載のエレベータのかご室照明装置。
【請求項３】
エレベータかご室の天井板は、内側から外側に行くに従って複数の円形状枠体の形状を徐々に大きく構成されたものであり、
多数のＥＬＤ照明器具は、前記天井板の各円形状枠体の垂直面内側に所定の間隔で近接対向しており、
照明板は、前記天井板の各円形状枠体の垂直面に形成された開口部に着脱自在に設けられている、
ことを特徴とする請求項１記載のエレベータのかご室照明装置。
【請求項４】
ＥＬＤ照明器具の発光の濃淡や色を変化させることにより、浅い空間でありながら奥行き感を演出することを特徴とする請求項１〜請求項３のいずれかに記載のエレベータのかご室照明装置。
【発明の詳細な説明】
【技術分野】
【０００１】
この発明は、エレベータのかご室照明装置に関するものである。
【背景技術】
【０００２】
従来、エレベータのかご室照明装置は、天井内部に蛍光灯タイプの照明器具を配置している。図１２〜図１６に従来のエレベータのかご室照明装置を示す。図において、１２はかご室の天井板、１１は天井板１２裏面のかご室天井内に配置された蛍光灯タイプの照明器具、１３は照明器具１１からの光を透過する乳白色樹脂からなる照明板、１４は反射板である。
従来のエレベータのかご室照明装置は、図１３〜図１５から明らかなように、蛍光灯タイプの照明器具１１の占有する大きさのスペースが必要であり、特に、上下方向の寸法が約１５０ｍｍと極めて大きいものであった。また、蛍光灯照明器具１１からの発光方向は、図１５に示すように、照明板１３の反対方向など無駄な方向へ発光してしまう。更にまた、蛍光灯タイプの照明器具１１を交換する場合は、図１６に示すように、上方に取り外して行っていた。
【０００３】
また、これを解決するために、かご内の天井板に、複数個の白色発光素子を所定の間隔をもって縦横に配列したかご内照明灯を取り付け、従来の白熱灯や蛍光灯に近い色の光を発することにより、かご内を照明するエレベータのかご内照明装置がある（例えば、特許文献１参照）。
【０００４】
【特許文献１】特開２００４−３３８８２５号公報
【発明の開示】
【発明が解決しようとする課題】
【０００５】
しかし、従来のエレベータのかご室照明装置では、照明器具の占有する大きさのスペースが必要であり、特に、上下方向の寸法が極めて大きいため、昇降路上下寸法の削減が困難であった。またデザインを変更すると、照明器具のランプの位置を変更する必要があり、容易に照明板などのデザイン変更を行うことは不可能であった。また、消費電力削減もできず、建物空間の有効活用の阻害要因となっていた。
また、特許文献１記載のエレベータのかご内照明装置では、消費電力削減や、かご内照明灯のスペース削減はある程度実現することができるが、昇降路上下寸法の大幅な削減や、照明板などのデザインバリエーションの充実化については、未だ不十分であった。
【０００６】
この発明は、上述のような課題を解決するためになされたもので、かご室の天井照明器具にＬＥＤ（発光ダイオード）を使用し、照明器具が占める上下方向のスペースを大幅に削減し、特に昇降路上下寸法の削減に寄与することができるエレベータのかご室照明装置を提供するものである。
【課題を解決するための手段】
【０００７】
この発明に係るエレベータのかご室照明装置においては、エレベータかご室の天井板と、天井板部分の裏面に斜め方向又は垂直方向に配置された多数のＬＥＤ照明器具と、ＬＥＤ照明器具の発光方向と対向するように天井板に設けられた透光性材料からなる照明板とを備えたものである。
【発明の効果】
【０００８】
この発明によれば、かご室の天井照明器具にＬＥＤを使用し、照明器具が占める上下方向のスペースを大幅に削減できるため、エレベータ機器の省スペース化、特に昇降路上下寸法の削減に寄与することができ、建築費用が削減できる。
【発明を実施するための最良の形態】
【０００９】
実施の形態１．
図１はこの発明の実施の形態１におけるエレベータのかご室照明装置を示す底面図、図２は図１のＡ−Ａ線に沿った断面図、図３はこの発明の実施の形態１におけるエレベータのかご室照明装置の要部を示す断面図、図４はこの発明の実施の形態１におけるエレベータのかご室照明装置のＬＥＤ照明器具の発光方向を示す図３相当図である。
【００１０】
図において、１は多数のＬＥＤ（発光ダイオード）からなるＬＥＤ照明器具、２は内側から外側に行くに従って複数の四角形枠体の形状を徐々に大きく構成してなるエレベータかご室の天井板、３は天井板２の四角形枠体の垂直面に開口部を形成し、この開口部を塞ぐように着脱自在に取り付けられた乳白色樹脂等の透光性材料からなる照明板である。
上記ＬＥＤ照明器具１は、図３に示すように、上記天井板２内の裏面に斜め方向に又は垂直方向に取り付けられ、上記着脱自在の照明板３と所定の間隔で近接対向する位置に配置されている。
この発明のＬＥＤ照明器具１を使用した場合、上下方向の寸法が約２５ｍｍとなり、従来の蛍光灯タイプ照明器具１１の場合の約１／６のスペースでかご室照明装置の機器構成が可能となる。この寸法削減により、昇降路の上下寸法を従来よりも約１２５ｍｍ削減することができる。また、図４に示すように、ＬＥＤ照明器具１からは効率良く一定方向に発光するので、エネルギー効率も良い。
【００１１】
実施の形態２．
図５はこの発明の実施の形態２におけるエレベータのかご室照明装置を示す底面図、図６は図５のＢ−Ｂ線に沿った断面図、図７はこの発明の実施の形態２におけるエレベータのかご室照明装置の一部を示す底面図、図８はこの発明の実施の形態２におけるエレベータのかご室照明装置のＬＥＤ照明器具の発光方向を示す要部断面図である。
【００１２】
図において、１は多数のＬＥＤ（発光ダイオード）からなるＬＥＤ照明器具、２は内側から外側に行くに従って複数の円形状枠体の形状を徐々に大きく構成してなるかご室の天井板、３は天井板２の円形状枠体の垂直面に開口部を形成し、この開口部を塞ぐように着脱自在に取り付けられた乳白色樹脂等の透光性材料からなる照明板である。
上記ＬＥＤ照明装置１は、図７、図８に示すように、上記天井板２内の裏面の円周上に沿ってかつ斜め方向に又は垂直方向にそれぞれ取り付けられ、上記着脱自在の照明板３と所定の間隔で近接対向する位置に配置されている。
この発明のＬＥＤ照明器具１を使用した場合、上下方向の寸法が約２５ｍｍとなり、従来の蛍光灯タイプ照明器具１１の場合の約１／６のスペースでかご室照明装置の機器構成が可能となる。この寸法削減により、昇降路の上下寸法を従来よりも約１２５ｍｍ削減することができる。また、図８に示すように、ＬＥＤ照明器具１からは効率良く一定方向に発光するので、エネルギー効率も良い。
【００１３】
実施の形態３．
図９はこの発明の実施の形態３におけるエレベータのかご室照明装置を示す底面図、図１０は図９のＣ−Ｃ線に沿った断面図である。
【００１４】
図９は、ＬＥＤ照明器具１に変更した場合に光ムラが生じない例を示す。図９に示すような間接光を用いた場合、蛍光灯タイプの場合は継ぎ目に光ムラが発生するが、ＬＥＤ照明器具を使用すると、連続した光源のため、光ムラが少なく意匠性が向上する。また、図面では表現しにくいが、光の色を自由に変更できるため、狭い空間で奥行き感を演出するという特殊な効果を奏することが可能となる。
【００１５】
実施の形態４．
図１１はこの発明の実施の形態４におけるエレベータのかご室照明装置を示す図３相当図である。
【００１６】
図１１は、ＬＥＤ照明器具１を交換する例を示す。乳白色樹脂等の透光性材料からなる照明板３を取り外すことにより、内部にあるＬＥＤ照明器具１の交換を容易に行うことができる。例えば、従来の蛍光灯タイプの照明器具１１の場合、図１６に示すように、乳白色樹脂の照明板１３を取り外したスペースでは蛍光灯タイプの照明器具１１の交換は不可能である。したがって、別途天井上部等に照明器具交換用の大きな取り出し口が必要となるが、この発明によればかご室内側から僅かなスペースにて交換ができる。
【図面の簡単な説明】
【００１７】
【図１】この発明の実施の形態１におけるエレベータのかご室照明装置を示す底面図である。
【図２】図１のＡ−Ａ線に沿った断面図である。
【図３】この発明の実施の形態１におけるエレベータのかご室照明装置の要部を示す断面図である。
【図４】この発明の実施の形態１におけるエレベータのかご室照明装置のＬＥＤ照明器具の発光方向を示す図３相当図である。
【図５】この発明の実施の形態２におけるエレベータのかご室照明装置を示す底面図である。
【図６】図５のＢ−Ｂ線に沿った断面図である。
【図７】この発明の実施の形態２におけるエレベータのかご室照明装置の一部を示す底面図である。
【図８】この発明の実施の形態２におけるエレベータのかご室照明装置のＬＥＤ照明器具の発光方向を示す要部断面図である。
【図９】この発明の実施の形態３におけるエレベータのかご室照明装置を示す底面図である。
【図１０】図９のＣ−Ｃ線に沿った断面図である。
【図１１】この発明の実施の形態４におけるエレベータのかご室照明装置を示す図３相当図である。
【図１２】従来のエレベータのかご室照明装置を示す底面図である。
【図１３】図１２のＤ−Ｄ線に沿った断面図である。
【図１４】従来のエレベータのかご室照明装置の要部を示す断面図である。
【図１５】従来のエレベータのかご室照明装置の蛍光灯照明器具の発光方向を示す図１４相当図である。
【図１６】従来のエレベータのかご室照明装置の蛍光灯タイプの照明器具を交換する場合を示す図１４相当図である。
【符号の説明】
【００１８】
１  ＬＥＤ照明器具
２  かご室の天井板
３  照明板
１１  蛍光灯タイプの照明器具
１２  かご室の天井板
１３  照明板
【図１】
2007182296.tif 000003
【図２】
2007182296.tif 000004
【図３】
2007182296.tif 000005
【図４】
2007182296.tif 000006
【図５】
2007182296.tif 000007
【図６】
2007182296.tif 000008
【図７】
2007182296.tif 000009
【図８】
2007182296.tif 000010
【図９】
2007182296.tif 000011
【図１０】
2007182296.tif 000012
【図１１】
2007182296.tif 000013
【図１２】
2007182296.tif 000014
【図１３】
2007182296.tif 000015
【図１４】
2007182296.tif 000016
【図１５】
2007182296.tif 000017
【図１６】
2007182296.tif 000018